(57)【要約】【課題】配管途中の空気弁が設けられた部分におけるパイプ周方向の傾動ないし回転を止めて空気弁の動作不良を防止するための空気弁固定構造を提供すること。【解決手段】本発明による空気弁固定構造は、プラスチック製配管の途中の設けられた空気弁の傾動ないし転倒を防止するための空気弁固定構造であって、プラスチック製配管本体と、プラスチック製配管本体を支持するための支持躯体と、前記プラスチック製配管本体の途中に設けられた、空気弁を接続するための逆Ｔ字状の分岐継手部と、前記分岐継手部に接続された空気弁とを有し、前記空気弁本体および（または）分岐継手部と前記支持躯体とを連結固定して、配管の周方向への回転にともなう空気弁の傾動ないし転倒を防止する空気弁固定部材が設けられてなることを特徴とする。【選択図】図１
2008128326.tif 000002
【特許請求の範囲】
【請求項１】
プラスチック製配管の途中の設けられた空気弁の傾動ないし転倒を防止するための空気弁固定構造であって、
プラスチック製配管本体と、
プラスチック製配管本体を支持するための支持躯体と、
前記プラスチック製配管本体の途中に設けられた、空気弁を接続するための逆Ｔ字状の分岐継手部と、
前記分岐継手部に接続された空気弁とを有し、
前記空気弁本体および（または）分岐継手部と前記支持躯体とを連結固定して、配管の周方向への回転にともなう空気弁の傾動ないし転倒を防止する空気弁固定部材が設けられてなることを特徴とする、空気弁固定構造。
【請求項２】
配管の軸方向に対する平行移動を可能とし、かつ、配管の周方向への傾動不能となるように、前記空気弁本体および（または）分岐継手部が前記支持躯体に連結固定されている、請求項１に記載の空気弁固定構造。
【請求項３】
配管の軸方向に対する平行移動と周方向への傾動の双方が不能となるように、前記空気弁本体および（または）分岐継手部が前記支持躯体に連結固定されている、請求項１に記載の空気弁固定構造。
【請求項４】
前記プラスチック製配管がポリエチレンパイプである、請求項１に記載の空気弁固定構造。
【発明の詳細な説明】
【技術分野】
【０００１】
本発明は、プラスチック製配管の固定技術に関し、特に、プラスチック製配管の途中の設けられた空気弁の傾動ないし転倒を効果的に防止するための空気弁固定構造に関するものである。
【背景技術】
【０００２】
ポリエチレン等のポリオレフィン系プラスチック管は、軽量で可撓性を有するとともに耐腐食性および耐久性にもすぐれていることから、上水道、中水道および下水道などの送水用配管、農業用水配管、消火栓配管、薬液輸送用配管、海底用配管、海水取水管、給湯配管、橋梁添架管、吊り配管、山岳配管など、多様な用途において近年広く用いられている（たとえば、特許文献１参照）。
【０００３】
高密度ポリエチレン（ＨＤＰＥ）製パイプや架橋ポリエチレン管は、耐摩耗性や耐食性等の機械的、化学的性質にすぐれていることから上述した多くの用途に利用されているが、同時にこれらポリエチレン材料は他の配管材料に較べて可撓性にすぐれるとともに熱膨張率が比較的大きいという物理的性質を有している。したがって、配管が一定の長さになると、配管が設置されている環境の温度変化に応じて配管が伸長および収縮する現象が顕在化する。
【０００４】
よって、プラスチック製配管の施工に際しては、上述した配管の伸縮にともなう変形や配管の蛇行を防止するために、一定の長さ毎に配管を支持躯体に固定したり、あるいは橋梁等の躯体の伸縮に対して配管がスライド可能な方法で支持することが一般に行われている。
【０００５】
ところで、上水道や下水道用の配管においては、配管の途中の一定区間毎に、配管中の空気を排出するための空気弁が設けられている。このような空気弁は、配管中に流入する水によりフロートを浮遊させて弁を開閉させて空気の排出が行えるように構成されている。このような空気弁が設けられたプラスチック製配管の設置に際しては、従来、上記のように、配管の本体を一定区間毎に固定する支持躯体に固定することが行われている。従来においては、このような配管の一定区間毎の固定で十分であるとみなされていた。しかしながら、本発明者らの知見によれば、熱膨張等に起因する配管の微細な伸縮にともなって、配管本体自体がパイプの長手方向のみならず、パイプの周方向においてもわずかに傾動ないし回転する現象がみられ、この傾動・回転によって配管途中に設けられた空気弁が傾いたり、著しい場合は空気弁が転倒するという問題が見いだされた。そして、このような空気弁の傾動が生じると、空気弁内部のフロートが正常に機能することができなくなり、空気弁の動作不良をもたらす。
【特許文献１】特開２００５−１５５７８７号公報
【発明の開示】
【発明が解決しようとする課題】
【０００６】
本発明は、上述した従来技術にともなう問題点に鑑みてなされたものであり、配管途中の空気弁が設けられた部分におけるパイプ周方向の傾動ないし回転を止めて空気弁の動作不良を防止するための空気弁固定構造を提供することを目的とするものである。
【課題を解決するための手段】
【０００７】
上記の課題を解決するために、本発明による空気弁固定構造は、プラスチック製配管の途中の設けられた空気弁の傾動ないし転倒を防止するための空気弁固定構造であって、プラスチック製配管本体と、プラスチック製配管本体を支持するための支持躯体と、前記プラスチック製配管本体の途中に設けられた、空気弁を接続するための逆Ｔ字状の分岐継手部と、前記分岐継手部に接続された空気弁とを有し、前記空気弁本体および（または）分岐継手部と前記支持躯体とを連結固定して、配管の周方向への回転にともなう空気弁の傾動ないし転倒を防止する空気弁固定部材が設けられてなることを特徴とするものである。
【０００８】
本発明の好ましい態様においては、上記配管の軸方向に対する平行移動を可能とし、かつ、配管の周方向への傾動不能となるように、前記空気弁本体および（または）分岐継手部が前記支持躯体に連結固定されていてもよい。
【０００９】
さらに、本発明の他の好ましい態様においては、配管の軸方向に対する平行移動と周方向への傾動の双方が不能となるように、前記空気弁本体および（または）分岐継手部が前記支持躯体に連結固定されていてもよい。
【００１０】
さらにまた、本発明の好ましい態様においては、上記プラスチック製配管はポリエチレンパイプで構成されていてもよい。
【発明の効果】
【００１１】
本発明の空気弁固定構造は、上述した構成からなるので、プラスチック製配管の途中の設けられた空気弁の傾動ないし転倒を効果的に防止することができる。
【発明を実施するための最良の形態】
【００１２】
上述したように、本発明による本発明による空気弁固定構造は、プラスチック製配管の途中の設けられた空気弁の傾動ないし転倒を防止するための空気弁固定構造であって、プラスチック製配管本体と、プラスチック製配管本体を支持するための支持躯体と、前記プラスチック製配管本体の途中に設けられた、空気弁を接続するための逆Ｔ字状の分岐継手部と、前記分岐継手部に接続された空気弁とを有し、前記空気弁本体および（または）分岐継手部と前記支持躯体とを連結固定して、配管の周方向への回転にともなう空気弁の傾動ないし転倒を防止する空気弁固定部材が設けられてなることを特徴とするものである。
【００１３】
以下、添付図面を参照して、本発明の好ましい態様について説明する。
【００１４】
図１〜図３は、上水道用パイプラインにおける空気弁設置部分の固定構造を示す具体例であり、橋梁に添架するかたちで固定される場合の一例を示すものである。図１は、その平面図であり、図２は、図１の態様を空気弁上部から見た図であり、図３は、図１の態様を配管軸方向から見た図である。
【００１５】
図１の平面図に示すように、本実施態様においては、配管本体１の中央部に逆Ｔ字状の分岐継手部２に空気弁３が接続されている。この例の場合においては、図１〜図３に示すように、空気弁３の配管への接続部にＴ字状の固定プレート４がボルト・ナットによって共締めされて、支持躯体５にケミカルアンカー等のアンカーボルト６によって固定されている。なお、この例においては、Ｔ字状の固定プレート４の共締め部の開口は長穴となっており、これにより、固定する際の微調整が容易となる。あるいは、長穴の幅でスライドが可能なように固定することによって、配管の伸縮に応じて軸方向に空気弁がスライドできるように設置することもできる。また、分岐継手部２の底部には、空気弁部の支持をより確実に行うためのＬ字板からなる支持金具７が設置されている。上記のような空気弁固定構造を採用することによって、配管の周方向の回転や傾動にともなう空気弁の傾動・転倒を効果的に阻止することができる。
【００１６】
図４および図５に示す例は、上水道用パイプラインを橋梁添架する場合の別の例における空気弁設置部分の固定構造を示す具体例である。図４は、その平面図であり、図５は、図４の態様を配管軸方向から見た図である。
【００１７】
図４および図５に示す実施態様においては、逆Ｔ字状の分岐継手部２の空気弁３を接続する継手下部をＵ字ボルト１０によって把持し、固定プレート１１を介して支持躯体５にケミカルアンカー等のアンカーボルト６によって固定されている。この場合においても、上述した図１および図３に示すような支持金具７を同様に設けてもよい。
【００１８】
図６および図７に示す例は、下水道用パイプラインを橋梁添架する場合の例における空気弁設置部分の固定構造を示す具体例である。図６は、その平面図であり、図７は、図６の態様を空気弁上部から見た図である。
【００１９】
図６および図７に示す実施態様においては、逆Ｔ字状の分岐継手部２の空気弁３を接続する継手下部にスライドプレート１２を固定し、このスライドプレート１２を支持部材１３の上に載置するように構成されている。支持部材１３は支持躯体５にケミカルアンカー等のアンカーボルト６によってしっかりと固定されている。一方、スライドプレート１２とともに固定されている空気弁３は、支持部材１３上を配管１の軸方向にスライド可能に保持されているので、プラスチック製配管本体１の伸縮に応じて平行移動させることができるので、空気弁３の傾動防止とともに、配管伸縮および橋梁等の躯体の伸縮にも追従させることが可能となる。したがって、この態様の固定構造は、特に温度変化の大きい地区に設置する場合に好適である。
【００２０】
図８および図９に示す例は、下水道用パイプラインを橋梁添架する場合の別の例における空気弁設置部分の固定構造を示すものである。図８は、その平面であり、図９は、図８の態様を配管軸方向から見た図である。
【００２１】
図８および図９に示す実施態様においては、逆Ｔ字状の分岐継手部２が台座付き分岐鋼管からなる。すなわち、空気弁３が接続された継手が鋼管からなり、継手の下部には、台座１５が固定されている。したがって、この台座１５を支持部材１４に固定することによって、空気弁設置部分がしっかりと支持部材１４に固定されて、傾動の発生を効果的に防止することができる。また、この場合も、支持部材１４は、支持躯体５にケミカルアンカー等のアンカーボルト６によってしっかりと固定されている。
【００２２】
上記の実施態様において説明したように、本発明においては、配管の軸方向に対する平行移動を可能とし、かつ、配管の周方向への傾動不能となるように、前記空気弁本体および（または）分岐継手部が前記支持躯体に連結固定されていてもよいが、用途や設置する地区の特性に応じて、配管の軸方向に対する平行移動と周方向への傾動の双方が不能となるように、前記空気弁本体および（または）分岐継手部が前記支持躯体に連結固定されていてもよい。
【００２３】
さらにまた、本発明の好ましい態様においては、上記プラスチック製配管はポリエチレンパイプで構成されていてもよい。
【図面の簡単な説明】
【００２４】
【図１】本発明の空気弁固定構造の一実施態様を示す平面図。
【図２】図１の態様を空気弁上部から見た図。
【図３】図１の態様を配管軸方向から見た図。
【図４】本発明の他の態様に係る空気弁固定構造を示す平面図。
【図５】図４の態様を配管軸方向から見た図。
【図６】本発明の他の態様に係る空気弁固定構造を示す平面図。
【図７】図６の態様を空気弁上部から見た図。
【図８】本発明の他の態様に係る空気弁固定構造を示す平面図。
【図９】図８の態様を配管軸方向から見た図。
【符号の説明】
【００２５】
１  プラスチック製配管
２  分岐継手部
３  空気弁
４  固定プレート
５  支持躯体
６  アンカーボルト
７  支持金具
１０  Ｕ字ボルト  
１１  固定プレート
１２  スライドプレート
１３  支持部材
１４  支持部材
１５  台座
【図１】
2008128326.tif 000003
【図２】
2008128326.tif 000004
【図３】
2008128326.tif 000005
【図４】
2008128326.tif 000006
【図５】
2008128326.tif 000007
【図６】
2008128326.tif 000008
【図７】
2008128326.tif 000009
【図８】
2008128326.tif 000010
【図９】
2008128326.tif 000011